(57)【要約】【課題】構成変更の容易な伝送ネットワーク、その伝送ネットワークに含まれるノード、および伝送ネットワークの構成変更方法を提供する。【解決手段】新規設置または構成変更されたノード１４は、まず、必要最小限のパッケージが正常動作していることを確認する。次に、ノード１４は、正常動作しているパッケージを使用してデータ通信を確保する。次に、ノード１４は、データ通信により伝送ネットワーク内の監視システム１５を捜索し、監視システム１５が存在すれば、その監視システム１５に対してノード１４を登録し、その監視システム１５から必要なファームウェアをダウンロードする。【選択図】      図１
2004282347.tif 000002
【特許請求の範囲】
【請求項１】
複数のパッケージで構成されたノードを少なくとも１つ含む伝送ネットワークの構成変更方法であって、
新規設置または構成変更されたノードにおいて、必要最小限のパッケージが正常動作していることを確認する第１のステップと、
正常動作している前記パッケージを使用してデータ通信を確保する第２のステップと、
前記データ通信により前記伝送ネットワーク内の監視システムを捜索し、前記伝送ネットワーク内に監視システムが存在すれば、該監視システムに対して前記ノードを登録する第３のステップと、
前記監視システムが存在すれば、該監視システムから必要なファームウェアをダウンロードする第４のステップとを有する伝送ネットワークの構成変更方法。
【請求項２】
前記第１のステップは、
新規設置または構成変更された前記ノードを構成する各パッケージに障害が発生しているか否か判定するステップと、
その判定結果から、前記監視システムとのデータ通信に必要な最小限のパッケージが正常動作しているか否か判定するステップとを含む、請求項１記載の伝送ネットワークの構成変更方法。
【請求項３】
前記第２のステップは、
隣接ノードに対して試験信号の送信を開始するステップと、
使用しているパッケージの中に、前記試験信号を送信したことにより障害の発生したパッケージがあれば、正常動作している他のパッケージに切り替えるステップと、
使用しているパッケージの中に、前記試験信号の品質が所定の閾値を下回るパッケージがあれば、正常動作している他のパッケージに切り替えるステップと、
使用しているパッケージの中に、データ通信品質が所定の閾値を下回るパッケージがあれば、正常動作している他のパッケージに切り替えるステップとを含む、請求項１または２に記載の伝送ネットワークの構成変更方法。
【請求項４】
前記第４のステップは、
前記監視システムが存在すれば、該監視システムへファームウェアの適切なバージョンを問い合わせるステップと、
前記監視システムから得られた前記バージョンが自身に適用されているバージョンと異なれば、前記監視システムから得られた前記バージョンのファームウェアを前記監視システムからダウンロードするステップを含む、請求項１〜３のいずれか１項に記載の伝送ネットワークの構成変更方法。
【請求項５】
任意に構成変更可能な伝送ネットワークであって、
前記伝送ネットワークに含まれるノードが登録され、該伝送ネットワークで用いられるファームウェアを記録している監視システムと、
新規設置または構成変更されると、必要最小限のパッケージが正常動作していることを確認し、正常動作している前記パッケージを使用してデータ通信を確保し、前記データ通信により前記伝送ネットワーク内の前記監視システムを捜索し、前記監視システムが存在すれば、該監視システムに対して登録処理を行い、該監視システムから必要なファームウェアをダウンロードするノードとを有する伝送ネットワーク。
【請求項６】
前記ノードは、新規設置または構成変更されると、該ノードを構成する各パッケージに障害が発生しているか否か判定し、その判定結果から、前記監視システムとのデータ通信に必要な最小限のパッケージが正常動作しているか否か判定する、請求項５記載の伝送ネットワーク。
【請求項７】
前記ノードは、隣接ノードに対して試験信号の送信を開始し、使用しているパッケージの中に、前記試験信号を送信したことにより障害の発生したパッケージ、前記試験信号の品質が所定の閾値を下回るパッケージ、またはデータ通信品質が所定の閾値を下回るパッケージがあれば、正常動作している他のパッケージに切り替える、請求項５または６に記載の伝送ネットワーク。
【請求項８】
前記ノードは、前記監視システムが存在すれば、該監視システムへファームウェアの適切なバージョンを問い合わせ、前記監視システムから得られた前記バージョンが自身に適用されているバージョンと異なれば、前記監視システムから得られた前記バージョンのファームウェアを前記監視システムからダウンロードする、請求項５〜７のいずれか１項に記載の伝送ネットワーク。
【請求項９】
任意に構成変更可能な伝送ネットワークに用いられるノード装置であって、
主信号の送受信またはデータ通信を行う非管理系パッケージと、
前記ノード装置が新規設置または構成変更されると、必要最小限の前記非管理系パッケージが正常動作していることを確認し、正常動作している前記非管理系パッケージを使用してデータ通信を確保し、前記データ通信により前記伝送ネットワーク内の監視システムを捜索し、前記監視システムが存在すれば、該監視システムに対して登録処理を行い、該監視システムから必要なファームウェアをダウンロードする管理系パッケージとを有するノード装置。
【請求項１０】
前記管理系パッケージは、前記ノード装置が新規設置または構成変更されると、該ノード装置を構成する各パッケージに障害が発生しているか否か判定し、その判定結果から、前記監視システムとのデータ通信に必要な最小限のパッケージが正常動作しているか否か判定する、請求項９記載のノード装置。
【請求項１１】
前記管理系パッケージは、隣接ノードに対して試験信号の送信を開始し、使用している非管理系パッケージの中に、前記試験信号を送信したことにより障害の発生した非管理系パッケージ、前記試験信号の品質が所定の閾値を下回る非管理系パッケージ、またはデータ通信品質が所定の閾値を下回る非管理系パッケージがあれば、正常動作している他の非管理系パッケージに切り替える、請求項９または１０に記載のノード装置。
【請求項１２】
前記管理系パッケージは、前記監視システムが存在すれば、該監視システムへファームウェアの適切なバージョンを問い合わせ、前記監視システムから得られた前記バージョンが自身に適用されているバージョンと異なれば、前記監視システムから得られた前記バージョンのファームウェアを前記監視システムからダウンロードする、請求項９〜１１のいずれか１項に記載のノード装置。
【発明の詳細な説明】
【０００１】
【発明の属する技術分野】
本発明は、伝送ネットワークの構成変更に関し、特に、伝送ネットワークを構成するノードにおける伝送ネットワーク構成変更時の処理に関する。
【０００２】
【従来の技術】
伝送ネットワークは、システムの拡張やトラフィックの増大など様々な要因により構成変更される。伝送ネットワークの構成変更においては、伝送ネットワークに新たなノードが設置されたり、既存のノードに新たなシェルフが増設されたり、あるいは既存のシェルフに新たなパッケージが増設されたりする。
【０００３】
一般に、伝送ネットワークの構成を変更する際には、まず、電源工事、機材の設置、ケーブル類の敷設および接続などの物理的な作業が行われる。これらの物理的な作業が完了し、新設された装置に電源が投入されると、何らかのＧＵＩを用いた作業員による手動の操作を介して、単体での動作の確認、隣接装置との通信の確認、伝送ネットワークを監視する監視システムとの通信の確認、工場出荷時のバージョンから伝送ネットワークで用いられているバージョンへのファームウェアのバージョンアップなどの様々な作業が行われる。そして、新設された装置は、これらの作業が完了してはじめて、伝送ネットワークに組み込まれ、本来の動作を行うことができるようになる。
【０００４】
以上のように、ノードなどの装置を新設して伝送ネットワークの構成を変更するには、作業員による多大な作業を要し、また、作業員による人為的なミスの発生する可能性があり、そのミスの発見および修正には多大な人的リソースが浪費される。
【０００５】
そのため、従来より、伝送ネットワークの構成変更に含まれ得る様々な作業を自動化する提案がなされている。
【０００６】
例えば、ノードへのソフトウェアをダウンロードする際に、そのノードが、他のノードのバージョン情報から新バージョンの適用が可能か否か判定し、可能であればダウンロードするという方法が提案されている（特許文献１参照）。特許文献１に記載された方法によれば、そのノード自身が、伝送ネットワークを構成する他のノードからソフトウェアのバージョン情報を取得し、得られたバージョン情報から自身への新バージョンの可否を判定する。そのため、作業者が新バージョンの適用が可能か否かを確認しながら手動でソフトウェアのダウンロードを指示していく必要が無く、バージョンアップに伴う人為的ミスも低減される。
【０００７】
また、伝送ネットワークを構成するノードの各々に、端末インタフェースの入出力レジスタを試験する試験部と、その試験の結果から異常を検出する検出部とを設けた構成が提案されている（特許文献２参照）。特許文献２に記載された構成によれば、端末インタフェースのパッケージが挿入されると、ノード自身が、そのパッケージの正常性を確認し、正常の場合にパッケージを活性化し、問題のあるパッケージを監視システムに通知するので、作業員は容易にパッケージが正常か否かを知ることができる。
【０００８】
また、伝送ネットワークを構成するノードの各々に、試験用の送信器および受信器を設け、さらに他のノードからの信号を折り返す機能を持たせた構成が提案されている（特許文献３参照）。特許文献３に記載された構成によれば、試験用送信器から送出された信号を他のノードで折り返して試験用受信器で受信することにより、伝送ネットワークの障害の発生箇所が特定される。そのため、作業員は、伝送ネットワークの障害発生箇所を容易に知ることができる。
【０００９】
【特許文献１】
特開２０００−１１２７６３号公報
【特許文献２】
特開２００１−２７４８２１号公報
【特許文献３】
特開２００２−２７１２６７号公報
【００１０】
【発明が解決しようとする課題】
従来から提案されている手段を用いることにより、伝送ネットワークの構成変更に含まれ得る様々な作業が自動化され、各作業にかかる労力が低減されている。しかし、構成変更の一連の工程が自動化されていないので、伝送ネットワークおよび装置の構成が複雑化すると、各工程で何らかの異常が発生したとき、次の作業に進むことが可能か、あるいは次の作業に進めるために何をすればよいかなどを作業員が判断する必要があった。
【００１１】
そのため、伝送ネットワークの構成変更を速やかに進めるためには伝送ネットワーク内の各装置の機能動作を把握した作業員が作業を行う必要があった。また、その作業員が、各工程の状況から、次の工程に進めることができるか、また、どのようにして次の工程に進めるかを判断して作業を行っていたので、作業員の負担はまだまだ大きなものであった。
【００１２】
本発明の目的は、構成変更の容易な伝送ネットワーク、その伝送ネットワークに含まれるノード、およびその伝送ネットワーク構成変更方法を提供することである。
【００１３】
【課題を解決するための手段】
上記目的を達成するために、本発明の伝送ネットワークの構成変更方法は、複数のパッケージで構成されたノードを少なくとも１つ含む伝送ネットワークの構成変更方法であって、新規設置または構成変更されたノードにおいて、必要最小限のパッケージが正常動作していることを確認する第１のステップと、正常動作している前記パッケージを使用してデータ通信を確保する第２のステップと、前記データ通信により前記伝送ネットワーク内の監視システムを捜索し、前記伝送ネットワーク内に監視システムが存在すれば、該監視システムに対して前記ノードを登録する第３のステップと、前記監視システムが存在すれば、該監視システムから必要なファームウェアをダウンロードする第４のステップとを有している。
【００１４】
本発明の伝送ネットワークは、任意に構成変更可能な伝送ネットワークであって、前記伝送ネットワークに含まれるノードが登録され、該伝送ネットワークで用いられるファームウェアを記録している監視システムと、新規設置または構成変更されると、必要最小限のパッケージが正常動作していることを確認し、正常動作している前記パッケージを使用してデータ通信を確保し、前記データ通信により前記伝送ネットワーク内の前記監視システムを捜索し、前記監視システムが存在すれば、該監視システムに対して登録処理を行い、該監視システムから必要なファームウェアをダウンロードするノードとを有している。
【００１５】
本発明のノード装置は、任意に構成変更可能な伝送ネットワークに用いられるノード装置であって、主信号の送受信またはデータ通信を行う非管理系パッケージと、前記ノード装置が新規設置または構成変更されると、必要最小限の前記非管理系パッケージが正常動作していることを確認し、正常動作している前記非管理系パッケージを使用してデータ通信を確保し、前記データ通信により前記伝送ネットワーク内の監視システムを捜索し、前記監視システムが存在すれば、該監視システムに対して登録処理を行い、該監視システムから必要なファームウェアをダウンロードする管理系パッケージとを有している。
【００１６】
したがって、本発明によれば、伝送ネットワークの構成変更時、追加設置または構成変更されたノードは、パッケージの最低限の正常性を確認し、そのパッケージを使用して正常なデータ通信を確保し、そのデータ通信を用いて監視システムへの登録を行い、ファームウェアのアップデートを行うという一連の処理を自動的に行うことができる。
【００１７】
また、本発明の伝送ネットワークの構成変更方法における前記第１のステップは、新規設置または構成変更された前記ノードを構成する各パッケージに障害が発生しているか否か判定するステップと、その判定結果から、前記監視システムとのデータ通信に必要な最小限のパッケージが正常動作しているか否か判定するステップとを含んでよい。
【００１８】
また、前記第２のステップは、隣接ノードに対して試験信号の送信を開始するステップと、使用しているパッケージの中に、前記試験信号を送信したことにより障害の発生したパッケージがあれば、正常動作している他のパッケージに切り替えるステップと、使用しているパッケージの中に、前記試験信号の品質が所定の閾値を下回るパッケージがあれば、正常動作している他のパッケージに切り替えるステップと、使用しているパッケージの中に、データ通信品質が所定の閾値を下回るパッケージがあれば、正常動作している他のパッケージに切り替えるステップとを含んでよい。
【００１９】
また、前記第４のステップは、前記監視システムが存在すれば、該監視システムへファームウェアの適切なバージョンを問い合わせるステップと、前記監視システムから得られた前記バージョンが自身に適用されているバージョンと異なれば、前記監視システムから得られた前記バージョンのファームウェアを前記監視システムからダウンロードするステップを含んでよい。
【００２０】
【発明の実施の形態】
本発明の一実施形態について図面を参照して詳細に説明する。
【００２１】
図１は、本実施形態の伝送ネットワークの一構成例を示す図である。図１を参照すると、伝送ネットワークは、複数のノード１１〜１４、および監視システム１５を有している。
【００２２】
複数のノード１１〜１４は、伝送路によって相互接続されており、データなどの主信号を互いに送受信する。ここでは、ノード１１〜１４は全て基本構成が同じであるとする。
【００２３】
監視システム１５は、伝送路またはいずれかのノードに接続されており、伝送ネットワークの各ノードの管理を行う。図１では監視システム１５はノード１１に接続されている。
【００２４】
図２は、図１に示したノードの構成を示すブロック図である。図２では、ノード１１が例示されているが、ノード１１〜１４は同様の構成である。図２を参照すると、ノード１１は、管理系パッケージ群２１および非管理系パッケージ群２２を有している。なお、ここでパッケージとは、装置の一部をなす所定の機能を実現した構成単位であり、例えば、物理的には１枚の基板によって構成される。
【００２５】
管理系パッケージ群２１は、ノード１１内の非管理系パッケージ群２２に含まれる各パッケージの設定、制御、状態管理などを行う。非管理系パッケージ群２２は、伝送路に接続され、音声やデータなどの主信号を送受信する機能を有する。
【００２６】
なお、ここでは、管理系パッケージ群２１および非管理系パッケージ群２２について「パッケージ群」の語を用い、複数のパッケージからなる例を示しているが、管理系パッケージ群２１、非管理系パッケージ群２２ともに１つのパッケージとして構成されていてもよい。
【００２７】
図３は、図２に示された非管理系パッケージ群の構成を示すブロック図である。図３を参照すると、非管理系パッケージ群２２は、複数の主信号パッケージ３１〜３３、データ通信パッケージ３４、および切替管理パッケージ３５を有している。
【００２８】
主信号パッケージ３１〜３３は全て同様の構成であり、音声やデータの主信号の送受信処理を行う。
【００２９】
データ通信パッケージ３４は、主信号パッケージ３１〜３３を介してデータ通信を行う。データ通信は、管理系パッケージ群２１と監視システム１５の間で、システムの管理運用のために用いられる。ここで用いられるデータ通信のプロトコルは、ＴＣＰ／ＩＰやＯＳＩ参照モデルに準拠したものであってもよく、またベンダー独自のものであってもよい。
【００３０】
切替管理パッケージ３５は、主信号パッケージ３１〜３３にて冗長構成が採られている場合に、どの系が現用で、どの系が予備であるかを管理する。
【００３１】
なお、ここでは、非管理系パッケージ群２２に、複数の主信号パッケージ３１〜３３、データ通信パッケージ３４、および切替管理パッケージ３５が含まれる場合を例示したが、必ずしも、これらが個々に構成されている必要は無く、この例において複数パッケージにて実現された機能を１つのパッケージにて実現されていてもよい。例えば、データ通信パッケージ３４の機能が主信号パッケージ３１〜３４に含まれていてもよい。
【００３２】
図４は、伝送ネットワークに追加設置されたノードが初期起動時に行う自動処理の概略を示すフローチャートである。図４に示された自動処理に入る前に、電源工事、機材の設置、ケーブル類の敷設および接続などのノードに対する物理的な作業は完了しているものとする。図４の自動処理は、ファームウェアを実行する管理系パッケージ群２１によって制御される。図４を参照すると、ノードは、まず、装置起動処理を行う（ステップ１０１）。
【００３３】
図５は、図４に示された装置起動処理の詳細を示すフローチャートである。図５を参照すると、装置起動処理において、電源が投入されたとき（ステップ２０１）、管理系パッケージ群２１が実装されているか否か判定され（ステップ２０２）、実装されていなければ、自動処理は中止される（ステップ２０３）。管理系パッケージ群２１が実装されていれば、その管理系パッケージ群２１は、非管理系パッケージ群２２に含まれる各パッケージを登録する（ステップ２０４）。
【００３４】
次に、管理系パッケージ群２１は、自己診断機能用い、自身内に障害があるか否か調査する（ステップ２０５）。自己診断機能とは、自身内の各部が正常に機能する状態であるか否かを診断する機能である。管理系パッケージ群２１に障害があれば、自動処理は中止される（ステップ２０３）。
【００３５】
管理系パッケージ群２１は、自身に障害がなければ、次に、非管理系パッケージ群２２に障害があるか否か調査する（ステップ２０６）。非管理系パッケージ群２２に障害があれば、管理系パッケージ群２１は、その障害が自動処理の妨げとなるか否か判定する（ステップ２０７）。障害が自動処理の妨げとなるものであれば、自動処理は中止される（ステップ２０３）。障害が自動処理の妨げとなるものであるか否かは、必要最低限の主信号パッケージが正常動作しているか否かで左右される。監視システム１５とのデータ通信に用いることのできる、障害の無い主信号パッケージが最低でも１つあれば、自動処理の妨げにならない。また、主信号パッケージにて冗長構成が採られている場合、冗長構成のうち最低でも１つの系統の主信号パッケージが正常動作していれば自動処理の妨げにはならない。
【００３６】
ステップ２０６の判定において非管理系パッケージ群２２に障害が無いか、あるいはステップ２０７の判定において障害が自動処理の妨げになるものであれば、管理系パッケージ群２１は、非管理系パッケージ群２２のデータ通信パッケージ３４に対してデータ通信の開始を設定する（ステップ２０８）。次に、管理系パッケージ群２１は、データ通信パッケージ３４によるデータ通信を経由させるために、冗長構成が採られた主信号パッケージ３１〜３３の中から障害の無いものを選定する（ステップ２０９）。
【００３７】
以上、図４におけるステップ１０１の装置起動処理が終了すると、ノードは、次に、伝送路確保処理を行う（ステップ１０２）。
【００３８】
図６は、図４に示された伝送路確保処理の詳細を示すフローチャートである。図６を参照すると、伝送路確保処理において、ステップ２０９にて選定された主信号パッケージは、管理系パッケージ群２１からの指示に従って試験信号の送信を開始する（ステップ３０１）。そして、管理系パッケージ群２１は、その主信号パッケージが伝送路に試験信号を送信したことにより、障害が検出されたか否か判定する（ステップ３０２）。障害は、例えば、信号断やフレーム同期はずれなどであり、その障害を検出した隣接ノードから、物理層の信号フレームの所定のフィールドを用いて通知される。
【００３９】
障害が検出されると、管理系パッケージ群２１は、障害の発生した主信号パッケージの代わりに選定可能な主信号パッケージがあるか否か判定する（ステップ３０３）。代わりの主信号パッケージがあれば、その主信号パッケージに切り替えてステップ３０１の処理に移行する。代わりの主信号パッケージが無ければ、自動処理は中止される（ステップ３０４）。
【００４０】
ステップ３０２において障害が検出されなければ、その主信号パッケージは、管理系パッケージ群２１に指示に従い、隣接ノードからの主信号の品質監視を行う（ステップ３０５）。ここで監視される品質は、例えば、ビットエラーレートやフレームエラーレートである。また、ここで、監視時間は、主信号の品質を適切に判断できる範囲で任意に設定可能である。次に、管理系パッケージ群２１は、主信号パッケージで得られた品質に問題があるか否か判定する（ステップ３０６）。品質に問題があるか否かは、これらの品質が所定の閾値を下回っているか否かで判断できる。品質に問題があれば、管理系パッケージ群２１は、ステップ３０３の処理に移行する。
【００４１】
品質に問題がなければ、データ通信パッケージ３４は、その主信号パッケージを介して隣接ノードのデータ通信パッケージとの間で試験用のデータ通信を行い、データ通信の品質監視を行う（ステップ３０７）。ここで、監視されるデータ通信品質は、例えば、パケットの到達率や到達遅延時間である。また、ここで、監視時間は、デ−タ通信品質を適切に判断できる範囲で任意に設定可能である。次に、管理系パッケージ群２１は、データ通信パッケージ３４にて得られたデータ通信品質に問題があるか否か判定する（ステップ３０８）。データ通信品質に問題があるか否かは、これらのデータ通信品質が所定の閾値を下回っているか否かで判断できる。データ通信品質に問題があれば、管理系パッケージ群２１は、ステップ３０３の処理に移行する。
【００４２】
データ通信品質に問題がなければ、ノードは、図４におけるステップ１０２の伝送路確保処理を終了し、監視システム１５への登録処理を行う（ステップ１０３）。
【００４３】
図７は、図４に示された監視システムへの登録処理の詳細を示すフローチャートである。図７を参照すると、登録処理において、監視系パッケージ群２１は、データ通信パッケージ３４、および選定された主信号パッケージを介してデータ通信を行い、監視システム１５を捜索する（ステップ４０１）。監視システム１５の捜索において、ノードは、例えば、監視システム宛てのパケットを送信し、監視システム１５からのレスポンスにより監視システム１５の所在を知る。
【００４４】
管理系パッケージ群２１は、監視システム１５からのレスポンスがあったか否か判定する（ステップ４０２）。監視システム１５からのレスポンスがあれば、管理系パッケージ群２１は、自ノードに関する情報を監視システム１５に送って登録する（ステップ４０３）。監視システム１５にて登録されると、そのノードは、伝送ネットワークの一部として組み込まれる。
【００４５】
ステップ４０３において監視システム１５に登録された場合、あるいはステップ４０２において監視システム１５からの応答が無ければ、ノードは、図４におけるステップ１０３の登録処理を終了し、バージョンアップ処理を行う（ステップ１０４）。
【００４６】
図８は、図４に示されたバージョンアップ処理の詳細を示すフローチャートである。図８を参照すると、バージョンアップ処理において、管理系パッケージ群２１は、まず、監視システム１５が伝送ネットワーク上に存在するか否か判定する（ステップ５０１）。監視システム１５が伝送ネットワーク上に存在するか否かは、ステップ４０２において監視システム１５からのレスポンスがあったか否かで判断できる。
【００４７】
管理系パッケージ群２１は、監視システム１５が存在すれば、監視システム１５に、ファームウェアのバージョンを示すバージョンテーブルを問い合わせ（ステップ５０２）、監視システム１５が存在しなければ、隣接ノードに問い合わせる（ステップ５０３）。
監視システム１５からのバージョンテーブルは、伝送ネットワークで用いられるのに適切なバージョンを示す。
【００４８】
次に、管理系パッケージ群２１は、取得したバージョンテーブルを、自身のバージョンテーブルと比較する（ステップ５０４）。取得したバージョンテーブルが自身のバージョンテーブルと一致しなければ、管理系パッケージ群２１は、監視システム１５（監視システム１５が存在しない場合には隣接ノード）から新しいバージョンのファームウェアをダウンロードし（ステップ５０５）、そのファームウェアを適用するようにバージョンアップを行う（ステップ５０６）。
【００４９】
以上説明したように、本実施形態によれば、伝送ネットワークの構成変更時、追加設置されたノードは、管理系パッケージ群２１が、非管理系パッケージ群２２の最低限の正常性を確認し、正常なデータ通信が可能な主信号パッケージおよび伝送路を確保し、監視システム１５への登録を行い、ファームウェアのアップデートを行うという一連の処理を自動的に行うので、作業員が各工程において次の工程に進めることができるか、また、どのようにして次の工程に進めるかなどを判断することなく、容易に作業を行うことができ、また人為的なミスも防止することができる。
【００５０】
本実施形態では、伝送ネットワークの構成変更において、ノードが新設された場合を例示したが、本発明はそれに限定されない。例えば、新規パッケージが追加された場合でも同様である。
【００５１】
また、その場合、新規に追加された部分に対してだけ、本実施形態にて示した処理を行えばよい。例えば、新規に主信号パッケージが追加された場合、その主信号パッケージの正常性を確認し、伝送路を確保すればよい。また、新規に管理系パッケージ群が追加された場合、その管理系パッケージ群が図４の一連の処理を行うことにより、その管理系パッケージ群に管理される非管理系パッケージ群が監視システムに登録され、また、管理系パッケージ群のファームウェアもアップデートされる。また、非管理系パッケージ群が追加された場合、その非管理系パッケージ群を管理する管理系パッケージ群が図４の一連の処理を行えばよい。
【００５２】
以上のようにして、パッケージ増設やシェルフ増設の場合にも、管理系パッケージ群２１が一連の処理を自動的に行うので、容易に作業を行うことができ、また人為的なミスも防止できる。
【００５３】
【発明の効果】
本発明によれば、伝送ネットワークの構成変更時、追加設置または構成変更されたノードは、パッケージの最低限の正常性を確認し、そのパッケージを使用して正常なデータ通信を確保し、そのデータ通信を用いて監視システムへの登録を行い、ファームウェアのアップデートを行うという一連の処理を自動的に行うので、作業員が各工程において次の工程に進めることができるか、また、どのようにして次の工程に進めるかなどを判断することなく、容易に作業を行うことができ、また人為的なミスも防止することができる。
【図面の簡単な説明】
【図１】本実施形態の伝送ネットワークの一構成例を示す図である。
【図２】図１に示したノードの構成を示すブロック図である。
【図３】図２に示された非管理系パッケージ群の構成を示すブロック図である。
【図４】伝送ネットワークに追加設置されたノードが初期起動時に行う自動処理の概略を示すフローチャートである。
【図５】図４に示された装置起動処理の詳細を示すフローチャートである。
【図６】図４に示された伝送路確保処理の詳細を示すフローチャートである。
【図７】図４に示された監視システムへの登録処理の詳細を示すフローチャートである。
【図８】図４に示されたバージョンアップ処理の詳細を示すフローチャートである。
【符号の説明】
１１〜１４    ノード
１５    監視システム
２１    管理系パッケージ群
２２    非管理系パッケージ群
３１〜３３    主信号パッケージ
３４    データ通信パッケージ
３５    切替管理パッケージ
１０１〜１０４，２０１〜２０９，３０１〜３０８，４０１〜４０３，５０１〜５０６    ステップ
【図１】
2004282347.tif 000003
【図２】
2004282347.tif 000004
【図３】
2004282347.tif 000005
【図４】
2004282347.tif 000006
【図５】
2004282347.tif 000007
【図６】
2004282347.tif 000008
【図７】
2004282347.tif 000009
【図８】
2004282347.tif 000010